(57)【要約】【課題】  取付けた金属製屋根板が熱によって伸縮してもそれによる歪を吸収できる屋根板支持具において、勾配に柔軟に対応しつつも、荷重、特に負圧に対して強度を高められるようにすること。【解決手段】  下地材１３の上に固定される固定部材１４と、該固定部材１４の上部に取付けられ、固定した屋根板１５の伸縮に伴って前後方向に摺動可能な摺動部材１６とを有した屋根板支持具１１であって、上記固定部材１４の上部に、屋根板１５又は摺動部材１６を受ける第１受け部２７と、摺動部材１６の下端部に形成され左右方向に突出する係止片４０ｃ，４３の上側面を受ける第２受け部２８とを形成するとともに、これら受け部２７，２８を円弧状に湾曲形成した屋根板支持具１１。【選択図】    図１
2005180085.tif 000002
【特許請求の範囲】
【請求項１】
下地材の上に固定される固定部材と、該固定部材の上部に取付けられ、固定した屋根板の伸縮に伴って前後方向に摺動可能な摺動部材とを有した屋根板支持具であって、
上記固定部材の上部に、屋根板又は摺動部材を受ける第１受け部と、摺動部材の下端部に形成され左右方向に突出する係止片の上側面を受ける第２受け部とを形成するとともに、
これら受け部を円弧状に湾曲形成した
屋根板支持具。
【請求項２】
前記第１受け部が上へ凸に湾曲形成され、第２受け部が下へ凸に湾曲形成された
請求項１に記載の屋根板支持具。
【請求項３】
前記固定部材における摺動部材取付け部位である上部に、該固定部材上部の外表面の少なくとも一部を被覆する被覆部材を取付け、
該被覆部材を、合成樹脂又はゴムで形成した
請求項１又は２に記載の屋根板支持具。
【請求項４】
前記被覆部材と固定部材との間に、被覆部材及び固定部材相互間の上下方向での位置ずれを防止する凹凸による嵌合構造を形成した
請求項３に記載の屋根板支持具。
【請求項５】
前記固定部材に、隙間を隔てて相対向する脚部を設け、
これら脚部間に、固定部材の形態を保持する間隔保持手段を設けた
請求項１から請求項３のうちのいずれか一項に記載の屋根板支持具。
【請求項６】
前記請求項１から請求項５のうちのいずれか一項に記載の屋根板支持具を用いて形成した
屋根。
【発明の詳細な説明】
【技術分野】
【０００１】
この発明は、金属製の屋根板を固定するのに用いる屋根板支持具に関し、より詳しくは、熱により屋根板が伸縮しても、その伸縮に対応して動いて速やかに歪を吸収できるようにするような屋根板支持具に関する。
【背景技術】
【０００２】
このような屋根板支持具として、下地材の上に固定した固定部材の上部に、屋根板を係止する摺動部材を摺動可能に取付けた屋根板支持具を提案した（特許文献１参照）。
【０００３】
この屋根板支持具は、固定部材と摺動部材を、長孔と、該長孔内を相対摺動する軸部材とで連結した構成であり、摺動部材が前後方向に摺動して屋根板にかかる歪を取り除くという所望の作用・効果を達成するものであった。
【０００４】
ところで、屋根には勾配がつけられるものであるが、屋根板支持具が固定される下地材又は屋根板支持具自体にあらかじめ勾配をつけずとも、また付けられた勾配が正確なものでなくとも必要な勾配に対応できるように、屋根板支持具を構成することが好ましい。
【０００５】
上記特許文献１では、その図７において勾配対応可能にする技術が開示されているが、この構造は、屋根板を固定する吊子の下側部分を保持する樋状の補助金具が傾動可能となるように、ボルトの挿通で保持された補助金具の下側に位置する保持部下面を、保持部上端の受け部と同様に上へ凸に湾曲形成している。
【０００６】
しかし、この構造では、補助金具の上側面に対向する部分が直線状であって湾曲していない。すなわち、吊子と補助金具が傾いた時でも傾かない時でも、補助金具の上側には空間がある状態であり、負圧による荷重に対しては、挿通したボルトのみで対抗しなければならない。
【０００７】
【特許文献１】特開２０００−１１０３０７号公報
【発明の開示】
【発明が解決しようとする課題】
【０００８】
そこでこの発明は、勾配に柔軟に対応しつつも、荷重、特に負圧に対して強度を高めることができるような屋根板支持具の提供を主たる課題とする。
【課題を解決するための手段】
【０００９】
そのための手段は、下地材の上に固定される固定部材と、該固定部材の上部に取付けられ、固定した屋根板の伸縮に伴って前後方向に摺動可能な摺動部材とを有した屋根板支持具であって、上記固定部材の上部に、屋根板又は摺動部材を受ける第１受け部と、摺動部材の下端部に形成され左右方向に突出する係止片の上側面を受ける第２受け部とを形成するとともに、これら受け部を円弧状に湾曲形成した屋根板支持具であることを特徴とする。
【００１０】
すなわち、屋根板を固定する時に摺動部材が傾く必要があるときには、摺動部材が自動的に傾動し所望の傾きを得られる。そして屋根板の固定状態において負圧が作用すると、まず摺動部材に上への負荷がかかるが、このとき摺動部材の下端部に形成した係止片が、固定部材に形成した第２受け部に下から当たり、摺動部材と固定部材を摺動可能に一体化している部位にかかる荷重を分散し、集中荷重が掛かることを防止する。
【００１１】
上記第１受け部と第２受け部については、好ましくは、第１受け部が上へ凸に湾曲形成され、第２受け部が下へ凸に湾曲形成されるとよい。第２受け部によって受けられる摺動部材の係止片を、最も簡単な形状である直線状に形成しても、傾動が可能となる。
【００１２】
また、上記固定部材における摺動部材取付け部位である上部に、該固定部材上部の外表面の少なくとも一部を被覆する被覆部材を取付け、該被覆部材を、合成樹脂又はゴムで形成するもよい。屋根板と接触する部分や摺動部材と接触する部分を被覆部材で被覆することにより、金属同士の当たりを和らげ、不快な音の発生を抑制したり摺動動作を円滑にしたりすることができる。
【００１３】
さらに上記被覆部材と固定部材との間には、被覆部材及び固定部材相互間の上下方向での位置ずれを防止する凹凸による嵌合構造を形成すると、単に嵌めるだけで被覆部材と固定部材との上下方向での一体性を高めることができ、組み立て作業が容易となる。嵌合構造は、これを多重に設けるもよい。
【００１４】
上記固定部材に、隙間を隔てて相対向する脚部を設け、これら脚部間に、固定部材の形態を保持する間隔保持手段を設けるもよい。該間隔保持手段は、脚部間に固定される保持部材、脚部と一体の保持片、又は互いに当接し合う当接部で構成できる。
【００１５】
間隔保持手段を設けることにより、固定部材の安定性を増し、捩じれなどの変形の防止や脚部又は固定部材上部の隙間を所定通りに保持することができる。
【００１６】
別の手段は、上記屋根板支持具を用いて形成した屋根であることを特徴とする。
【発明の効果】
【００１７】
以上のように、この発明によれば、固定部材に設けた第１受け部と第２受け部により摺動部材が傾動可能である。このため、屋根の必要な勾配に現場にて柔軟に対応できる。
【００１８】
しかも、第２受け部は、摺動部材の下端部に形成された係止片の上側面を受けるので、屋根に負圧が作用して、摺動部材に上へ向けての力が作用した場合には、固定部材と摺動部材との連結手段で荷重を受けるほかに、第２受け部でも荷重を受けることができる。このため、屋根板支持具の強度を高めることができ、ひいては強固な屋根を得ることができることになる。
【発明を実施するための最良の形態】
【００１９】
この発明を実施するための一形態を、以下図面を用いて説明する。  
（実施の形態１）
図１は、屋根板支持具１１の斜視図、図２は屋根板支持具１１を用いて形成した屋根１２の構造を示す説明図である。
【００２０】
これらの図に示すように、屋根板支持具１１は、Ｈ型鋼等からなる下地材１３の上に固定される固定部材１４と、該固定部材１４の上部に取付けられ、固定した屋根板１５の伸縮に伴って前後方向に摺動可能な摺動部材１６とからなる。該摺動部材１６は、図１に矢印で示したように、前後方向に摺動可能であるほか、前後方向に傾動可能である。
【００２１】
固定部材１４は、同一形状の２つの金具担体１７ａからなる本体金具１７と、同一形状の２つの被覆部材１８と、上記一対の金具担体１７ａを一体化する保持金具１９からなる。金具担体１７ａは金属製で、その下端には、下地材１３に固定される接地片２０を有し、該接地片２０から上には、脚部２１が一直線状に立ち上げられている。脚部２１は、一対の金具担体１７ａ間で適宜の間隔を隔てて相対向する。
【００２２】
該脚部２１の高さ方向の中間位置における両側縁部には、たてなが長方形状の切欠き２１ａを形成し、上記保持金具１９の固定に備える。
【００２３】
脚部２１の上端からは、正面視コ字状の取付け部２２が、上端の上部受け片２２ａが左右方向外側に向くように形成されている（図３参照）。
【００２４】
この取付け部２２は、図４に示したように、上記上部受け片２２と、この下方に位置する下部受け片２２ｂと、これらを連結する垂直片２２ｃとからなる。この垂直片２２ｃは、上記被覆部材１８との間に形成した、上下方向での位置ずれを防止するための第１嵌合構造を構成する第１嵌合凸部である。
【００２５】
上記垂直片２２ｃの中央には、角孔２３を設け、該角孔２３の両側には、丸い貫通孔２４，２４を形成している。上記角孔２３は、摺動部材を取付けるための連結ボルト２５を挿通する部位であり、上記貫通孔２４は、被覆部材１８との間に形成した、上下方向での位置ずれを防止するための第２嵌合構造を構成する第２嵌合凹部である。
【００２６】
なお、上記連結ボルトは段つきの根角ボルトで構成し、段までの基部側の長さを、図３に示したようにナット２６で締め付けても摺動部材の摺動を可能にする長さに設定している。
【００２７】
被覆部材１８は、合成樹脂製で、正面視略コ字状に形成されている。つまり、上端には第１受け部２７を設け、該第１受け部２７の下方には、第２受け部２８を設け、これらを垂直な垂直部２９で連結した形状である。
【００２８】
上記第１受け部２７は、金具担体１７ａの上部受け片２２ａ上に重なり、第２受け部２８は、金具担体１７ａの下部受け片２２ｂの下に重なり、上記垂直部２９は、金具担体１７ａの垂直２２ｃに重なるものである。
【００２９】
垂直部２９は金具担体１７ａよりも幅広に形成され、その前後方向の両側を肉厚に形成して、柱状部３０を形成している。この柱状部３０の存在により、被覆部材１８自体の強度が高められ、被覆部材１８の内側面に凹所３１が形成されることになる。この凹所３１が上記第１嵌合構造を構成する第１嵌合凹部となり、金具担体１７ａの垂直片２２ｃが嵌合する。
【００３０】
また垂直部２９の中央には上記連結ボルト２５挿通用の挿通孔３２を設け、該挿通孔３２の両側には、上記第２嵌合構造を構成する第２嵌合凸部として、上記貫通孔２４に嵌合する嵌合突起３３を形成している。
【００３１】
そして、上記第１受け部２７は、幅方向の中間部ほど肉厚に形成され、その上面が上へ凸の円弧状に湾曲形成され、上記第２受け部２８は、幅方向の中間部ほど肉厚に形成され、その下面が下へ凸の円弧状に湾曲形成されている。この第２受け部２８は、外側ほど上がるように傾斜している。
【００３２】
保持金具１９は、同一形状の一対の保持金具担体１９ａからなり、相対向した金具担体１７ａの脚部２１を前後方向から挟み込んで一体化する。すなわち保持金具担体１９ａは、平面視コ字状をなす締め付け部３４を有し、その高さは、上記脚部２１の切欠き２１ａよりも長く設定される。そして締め付け部３４の両側縁から耳部３５を延設し、該耳部３５の基部の上下両端部に、上記脚部２１の切欠き２１ａに係合させるための係合凹部３６を形成している。
【００３３】
上記締め付け部３４には、固定時に重合又は近接する重合部３４ａを形成し、該重合部３４ａの中心に角孔３７を形成している。この角孔３７には、根角ボルトからなる締め付け用の締め付けボルト３８を挿通する。図中３９はナットである。
【００３４】
上記摺動部材１６は、金属板からなる吊子４０で構成される。吊子４０は、上端縁に屋根板係止用の係止部４０ａを有し、該係止部４０ａの下からは垂直板部４０ｂが垂設されている。そして垂直板部４０ｂの下端には、左右方向の一方に突出する係止片４０ｃを、上記第２受け部と同様に斜め上へ傾けて形成している。垂直板部４０ｂの下側部分と係止片４０ｃは、金属板を折り返して２重に重合して構成され、剛性が高められている。重合状態は、図示したようなリベット４０ｄや、スポット溶接、ねじ、折り曲げ、クリップ、その他の適宜の方法により保持される。
【００３５】
なお、上記被覆部材１８の垂直部２９の前後方向両側縁の角はアール状に形成され、吊子４０を差し込みやすいように考慮されている。
【００３６】
また垂直板部４０ｄの上下方向の中間位置には、前後方向に長い適宜長さの長孔４０ｅが形成されている。この長孔４０ｅの長さは、吊子４０の所望する摺動距離に応じて設定される。
【００３７】
このように構成した屋根板支持具１１では、図５に示したように摺動部材１６としての吊子４０が前後方向に摺動可能であるとともに、前後方向に傾動可能である。また傾斜した状態でも前後摺動可能である。
【００３８】
このため、屋根１２の施工にあたって、下地材１３にあらかじめ勾配がつけられていない場合でも、また勾配がつけられているが正確でない場合でも、屋根の必要な勾配に、現場において柔軟に対応できる。
【００３９】
しかも、第２受け部２８は、吊子４０の下端に形成した係止片４０ｃの上側面を受けるので、屋根１２に負圧が作用して、吊子４０に上へ向けての力が作用した場合には、固定部材１４と吊子４０との連結手段である連結ボルト２５で荷重を受けるほかに、第２受け部２８でも荷重を受けることができる。このため、屋根板支持具１１の強度を高めることができる。そしてこの屋根板支持具１１を用いて形成された屋根１２は、音なり防止が可能で、施工も簡単かつ正確であるというように高機能でありながらも強固な屋根となる。
【００４０】
また、第２受け部２８を下へ凸に湾曲形成し、吊子４０の係止片４０ｃを、最も簡単な形状である直線状に形成しているので、より簡素な形状で傾動可能な構成が得られる。
【００４１】
また、金具本体１７ａにおける、他の部材との接触部位である上部受け部２２ａと下部受け部２２ｂを合成樹脂製の被覆部材１８で被覆しているので、屋根板１５や吊子４０の係止片４０ｃとの当たりを和らげ、施工時の不快な音（騒音）の発生を抑制することができる。また被覆部材１８には金具本体１７ａの垂直片２２ｃを被覆する垂直部２９を形成しているので、吊子４０の摺動動作を円滑にすることもできる。
【００４２】
さらに上記被覆部材１８と金具本体１７ａとの間には、被覆部材１８及び金具本体１７ａ相互間の上下方向での位置ずれを防止する第１嵌合構造と第２嵌合構造を形成しているので、単に嵌めるだけで被覆部材１８と金具本体１７ａとの上下方向での一体性を高めることができる。このため、組み立て作業が容易である。
【００４３】
また第１嵌合構造と第２嵌合構造は２重に、つまりそれぞれ単独ではなくて重畳的に嵌合するので、より強固である。
【００４４】
また金具本体１７ａの脚部２１に間隔保持手段としての保持金具１９を設けているので、固定部材１４の安定性は高く、捩じれなどの変形の防止を図ることができるとともに、固定部材１４上部、すなわち取付け部２２の隙間を所定通りに保持することもできる。
【００４５】
（その他の実施の形態）
以下に、その他の形態を説明する。なお、上記一形態の構成と同一又は同様の構成部分については、同一の符号を付して、その詳しい説明を省略する。
【００４６】
図６は、摺動部材１６の斜視図であり、この図に示したように摺動部材１６は吊子４０と、該吊子４０を挟んで一体となる補助金具４１とで構成される。補助金具４１は、同一形状をなす左右一対の補助金具担体４１ａ，４１ａからなり、各補助金具担体４１ａは、上端に屋根板を受ける受け片４２を有し、下端には、やや上方へ向けて傾斜する係止片４３を有し、これらを垂直な連結片４４で連結した構成である。これらは例えばリベット４０ｄで一体化される。
【００４７】
このような摺動部材１６を取付けた屋根板支持具１１では、図７に示したように固定部材１４の第１受け部２７は、摺動部材１６の受け片４２を受けるものとなる。
【００４８】
図８は、摺動部材１６を構成する吊子４０の形態が上述のような丸ハゼ型ではなく、角ハゼ型である場合の屋根板支持具１１を示す斜視図である。
【００４９】
角ハゼ型の吊子４０の場合は、図示したように上端縁の係止部４０ａが断面三角形状をなしているので、屋根板の取付け時に係止部４０ａを屋根板１５に対して係止しながら固定部材１４に対して取付ける必要がある。このため、屋根板支持具１１は、吊子４０があらかじめ取付けられておらず、固定部材１４と摺動部材１６たる吊子４０と、これらを連結する連結ボルト２５を組にして準備される。
【００５０】
このような角ハゼ型の吊子４０を取付ける屋根板支持具１１の場合、連結ボルト２５の螺合作業性を良好にするため、図９に示したように、一方（螺合方向側）の金具担体１７ａの垂直片２２ｃの中心部に、角孔ではなく雌ねじ４５を一体形成しておく。この雌ねじ４５は、バーリングにより孔を開けた後、ねじ切りをして形成される。
【００５１】
そして、連結ボルト２５としては、先端を円錐状に形成した段つきボルトを使用する。段までの長さは、金具担体１７ａの垂直片２２ｃ間の間隔を所定幅にする長さに設定されている。
【００５２】
このように構成した屋根板支持具１１では、ナットを不要にして、部品点数を低減できる。また、この雌ねじ一体型の固定部材１４は、丸ハゼ型の吊子４０の場合でも使用できる。
【００５３】
なお、上記角ハゼ型の吊子４０は、図８に示したように、前後方向の両側部に切り込みを入れて、一部を内側にも折り返し、クリップのように挟みこんで垂直板部４０ｂと係止片４０ｃの重合状態を保持している。
【００５４】
また、本体金具１７と被覆部材１８との間には第２嵌合構造を設けているので、吊子４０を取付けていない状態であっても、被覆部材１８が不測に外れることはない。
【００５５】
図１０は、被覆部材１８なしで構成した屋根板支持具１１の一部断面正面図である。すなわち、この屋根板支持具１１の固定部材１４を、本体金具１７のみで構成し、本体金具１７を構成する金具担体１７ａの上部受け部２２ａと下部受け部２２ｂは、上部受け部２２ａについては上へ凸、下部受け部２２ｂについては下へ凸の円弧状に湾曲形成されている。
【００５６】
図１１は、被覆部材１８の第１受け部２７の上面に耐磨耗性を付与するための構造の一例で、上面に凹所４６を形成し、この凹所４６に金属板４７を収納している。凹所４６の深さは、金属板４７の厚みよりも若干深く形成し、金属板４７に屋根板１５又は摺動部材１６が直に当たらないようにする。
【００５７】
図１２、図１３、図１４は、間隔保持手段の他の例を示し、図１２に示したように、上記保持金具１９の耳部３５を横断面Ｕ字状に折曲して金具担体１７ａの脚部２１を肉厚方向に挟み込むようにした例である。脚部２１との一体性をより高めることができる。
【００５８】
図１３に示した保持金具１９は、パイプ状のスペーサ４８と、これの内側に挿通されて金具担体１７ａの脚部２１同士を連結するボルト４９ナット５０で構成した例である。上記ボルト４９には、段つきボルトを使用すると間隔保持能が高まる。
【００５９】
図１４の保持金具１９は、正面視コ字状のスペーサ５１と、このスペーサ５１を金具担体１７ａの脚部２１間に保持するボルト５２ナット５３とで構成した例である。この場合も、ボルト５２には段つきボルトを使用することができる。なお、スペーサ５１の左右両側には、脚部２１を挟み込む耳部５１ａが突設されている。
【００６０】
図１５も間隔保持手段の他の例を示した屋根板支持具１１を示し、この屋根板支持具１１は、固定部材１４を一つの本体金具１７で形成している。すなわち、固定部材１４は一つの本体金具１７と、２つの被覆部材１８，１８とからなる。
【００６１】
本体金具１７は、上部に上部受け片２２ａと下部受け片２２ｂと垂直片２２ｃとからなる一対の取付け部２２を有し、これらの下に末広がり状の脚部２１を延設して、脚部２１の下端に、これらを連結し下地材１３に対して固定される保持片５４を有した形状である。この保持片５４が、上記間隔保持手段に相当する。保持片５４の長さ方向の中間位置には、固定時の位置決め用の目印として切り込み５４ａを形成している。
【００６２】
被覆部材１８は、上述の被覆部材１８とほとんど同様に形成されるが、２点だけ形状を違えている。まず、垂直部２９の前後方向両側縁に形成した柱状部３０の外側縁に角を取ったアール部３０ａを形成し、本体金具１７の取付け部に対する取付けを容易にしている。
【００６３】
また嵌合突起３３を有さず、これに対応して上記本体金具１７の垂直片２２ｃには、第２嵌合凹部としての貫通孔２４を形成しない。
【００６４】
上述のように形成した被覆部材１８は、図１６に矢印で示したように、本体金具１７の取付け部２２に対して前後方向の横方向から嵌め込むようにして取付ける。
【００６５】
なお、図１７に示したように、第２嵌合構造を形成するもよい。すなわち、被覆部材１８の垂直部２９に嵌合突起３３を形成し、本体金具１７の取付け部２２の垂直片２２ｃに貫通孔２４を形成する。ただしこの場合、上記嵌合突起３３は、柱状部３０の高さと同一に形成される。取付け作業性を確保するためである。
【００６６】
また、図１８は固定部材１４の本体金具１７に一体の雌ねじ４５を設けた屋根板支持具１１の例を示す正面図であり、部品点数の一層の低減化を図ることができる利点がある。吊子４０には、角ハゼ型のほか丸ハゼ型のものを使用することもできる。
【００６７】
図１９は、他の例に係る被覆部材１８を取付けた屋根板支持具１１の正面図、図２０はその断面図、図２１は固定部材の分解斜視図である。この屋根板支持具１１では、被覆部材１８が、固定部材１４の本体金具１７に対して上からの差し込みで取付けられる。
【００６８】
すなわち、２つの被覆部材１８は、正面視逆Ｌ字状に形成され、上端に屋根板１５又は摺動部材１６を受ける第１受け部２７を有し、該第１受け部２７の内側縁から垂直部２９を垂設し、該垂直部２９の下端に、前後方向両側縁の柱状部３０を除いて上記垂直部２９の肉厚と同幅の第２受け部２８（垂直部の下端面）を設けた形状である。
【００６９】
上記第１受け部２７は、上へ凸に湾曲形成され、上記第２受け部２８は下へ凸に湾曲形成されている。また第２受け部２８は、本体金具１７の下部受け片２２ｂの下面と面一に設定されている。この結果本体金具１７の下部受け片２２ｂも第２受け部２８を構成する。
【００７０】
上記垂直部２９には、連結ボルト２５挿通用の挿通孔３２と、第２嵌合構造を構成する嵌合突起３３を形成している。この嵌合突起３３の高さは、柱状部３０と同じ程度に設定される。そして、本体金具１７の垂直片２２ｃの上記嵌合突起３３に対応する位置には貫通孔２４を形成している。
【００７１】
このような構成の屋根板支持具１１においても、本体金具１１として雌ねじ４５一体型のものを使用することができる（図２２（ａ）参照）。また上述例では固定部材１４の本体金具１７の下部受け片２２ｂを傾斜して形成したが、図２２（ｂ）に示したように、水平に形成し、これに合わせて被覆部材１８の第２受け部２８も水平に形成することもできる。
【００７２】
図２３も他の例に係る被覆部材１８を取付けた屋根板支持具１１の側面図、図２４はその断面図である。この屋根板支持具１１では、図２５に示したように、被覆部材１８を本体金具１７に対して左右方向の横方向から取付けられるように形成している。
【００７３】
すなわち、被覆部材１８は正面視逆Ｌ字状に形成され、上端に屋根板１５又は摺動部材１６を受ける第１受け部２７有し、該第１受け部２７の内側縁から垂直部２９を垂設した形状で、該垂直部２９の上部に、本体金具１７の上部受け片２２ａを差し込む差込溝５５を有している。
【００７４】
垂直部２９の下端は、第２受け部２８を構成せず、組み付けた時には本体金具１７下部受け片２２ｂの上側に位置する。すなわち上記下部受け片２２ｂの下面が、吊子の係止片の上面側を受ける第２受け部２８となる。
【００７５】
このように構成した屋根板支持具１１では、被覆部材１８の取付けが、本体金具１７に対して外側から被せるように嵌め込むだけで行え、本体金具１７を変形させる必要がないので、至って簡単である。
【００７６】
またこの場合も、角ハゼ型の吊子４５を取付け可能にすることができる。すなわち、例えば図２６に示したように、板ナット２６ａを用いる。板ナット２６ａは、被覆部材１８の垂直部２９に対応する形状で、垂直部２９の外側面に沿わせて使用する。板ナット２６ａの連結ボルト２５対応位置には、雌ねじ４５を形成している。また、上述したようにバーリングにより雌ねじ４５を形成するもよい。いずれの場合も、必要な各部材を両面テープによる接着等、適宜手段で、角ハゼ型吊子４０の取付けに先立って一体化しておくとよい。作業性が向上する。
【００７７】
図２７〜図３０は、他の例に係る被覆部材１８を用いた屋根板支持具１１を示し、この屋根板支持具１１では、取付けた屋根板１５からの熱を下方へ伝導させないようにする断熱機能を有する。
【００７８】
すなわち、固定部材１４は、一つの本体金具１７と、一つの被覆部材１８とからなり、本体金具１７は、立ち上げられた両側部に被覆部材１８を取付ける取付け部２２を有し、該取付け部２２を、末広がり状の脚部２１で支持した形状である。
【００７９】
脚部２１の上端部には、対向する脚部２１間で相互に当接し合い取付け部２２の形態を保持する当接部５６を設け、脚部２１の下端には接地して脚部２１と取付け部の形態を保持する保持片５４を設けている。上記当接部５６には角孔５７を設け、締結用の締結ボルト５８ナット５９で締め付けられるようにする。
【００８０】
また取付け部２２は、上端に左右方向外側に突出する上部受け片２２ａを有し、該上部受け片２２ａの下側の垂直部２２ｃには、丸い貫通孔２４が形成されている。
【００８１】
被覆部材１８は上記取付け部２２内に取付け可能な形状で、略直方体状をなすブロック状をなし、左右方向の中間部に逆Ｔ字形の保持溝６０を形成し、摺動部材１６としての吊子４０を保持できるようにしている。
【００８２】
そして上記保持溝６０の下端部の上面６０ａと下面６０ｂを、前後方向の中間部ほど狭くなる円弧状に湾曲形成している。上記上面６０ａが、第２受け部２８である。
【００８３】
第１受け部２７は、保持溝６０により左右に二分された上端に、上へ凸の円弧状に湾曲形成される。
【００８４】
また被覆部材１８における上記貫通孔２４に対応する部位には、円弧状の嵌合筒部６１を設けるとともに、この中心に対応する部位に、左右方向に延びる挿通孔６２を形成して、吊子取付け用の連結ボルト２５を挿通可能にしている。
【００８５】
上記筒部６１と貫通孔２４との嵌合、締結ボルト５８ナット５９、さらに図２７の側面図に示したように、本体金具１７の垂直片２２ｃに形成した係合凹部６３とこれに係合する位置に形成した被覆部材１８の係合凸部６４とにより、被覆部材１８は本体金具１７に一体化される。上記筒部６１と貫通孔２４、及び係合凹部６３と係合凸部６４がそれぞれ本体金具１７と被覆部材１８との上下方向での位置ずれを防止する嵌合構造である。
【００８６】
上記吊子４０は、連結ボルト２５と吊子４０下端の係止片４０ｃとにより、被覆部材１８に対して連結される。
【００８７】
吊子４０が角ハゼ型の場合には、図３０に示したように、被覆部材１８の上面からナット２６を回転不能に落とし込むナット保持孔６５を設けた形状に形成するとよい。
【００８８】
この発明の構成と、以上の一形態の構成との対応において、  
この発明の、固定部材における摺動部材取付け部位である上部は、上記構成の取付け部２２に対応し、
以下同様に、
嵌合構造は、垂直片２２ｃと凹所３１、貫通孔２４と嵌合突起３３、嵌合筒部６１と挿通孔６２、係合凹部６３と係合凸部６４とに対応し、  
間隔保持手段は、保持金具１９、保持片５４、当接部５６に対応するも、  
この発明は、上述の構成のみに限定されるものではない。
【図面の簡単な説明】
【００８９】
【図１】屋根板支持具の斜視図。
【図２】屋根の構造説明図。
【図３】要部断面図。
【図４】屋根板支持具の分解斜視図。
【図５】作用状態の側面図。
【図６】摺動部材の他の例を示す斜視図。
【図７】図６の摺動部材を用いた屋根板支持具の要部の正面図。
【図８】他の例に係る屋根板支持具の斜視図。
【図９】他の例に係る屋根板支持具の部分断面図。
【図１０】他の例に係る屋根板支持具の部分断面図。
【図１１】他の例に係る被覆部材の斜視図。
【図１２】他の例に係る屋根板支持具の横断面図。
【図１３】他の例に係る屋根板支持具の一部断面正面図。
【図１４】他の例に係る屋根板支持具の一部断面正面図。
【図１５】他の例に係る屋根板支持具の正面図。
【図１６】図１５の固定部材の分解斜視図。
【図１７】他の例に係る固定部材の部分断面正面図。
【図１８】他の例に係る屋根板支持具の正面図。
【図１９】他の例に係る屋根板支持具の正面図。
【図２０】図１９の屋根板支持具の断面図。
【図２１】図１９の固定部材の分解斜視図。
【図２２】他の例に係る要部の断面図。
【図２３】他の例に係る屋根板支持具の側面図。
【図２４】図２３の屋根板支持具の断面図。
【図２５】図２３の固定部材の分解断面図。
【図２６】他の例に係る屋根板支持具の断面図。
【図２７】他の例に係る屋根板支持具の側面図。
【図２８】図２７の屋根板支持具の正面図。
【図２９】図２７の屋根板支持具の断面図。
【図３０】他の例に係る屋根板支持具の断面図。
【符号の説明】
【００９０】
１１…屋根板支持具
１２…屋根
１３…下地材
１４…固定部材
１５…屋根板
１６…摺動部材
１８…被覆部材
１９…保持金具
２１…脚部
２２…取付け部
２２ｃ…垂直片
２４…貫通孔
２７…第１受け部
２８…第２受け部
３１…凹所
３３…嵌合突起
４０…吊子
４０ｃ…係止片
４３…係止片
５４…保持片
５６…当接部
６１…嵌合筒部
６２…挿通孔
６３…係合凹部
６４…係合凸部
【図１】
2005180085.tif 000003
【図２】
2005180085.tif 000004
【図３】
2005180085.tif 000005
【図４】
2005180085.tif 000006
【図５】
2005180085.tif 000007
【図６】
2005180085.tif 000008
【図７】
2005180085.tif 000009
【図８】
2005180085.tif 000010
【図９】
2005180085.tif 000011
【図１０】
2005180085.tif 000012
【図１１】
2005180085.tif 000013
【図１２】
2005180085.tif 000014
【図１３】
2005180085.tif 000015
【図１４】
2005180085.tif 000016
【図１５】
2005180085.tif 000017
【図１６】
2005180085.tif 000018
【図１７】
2005180085.tif 000019
【図１８】
2005180085.tif 000020
【図１９】
2005180085.tif 000021
【図２０】
2005180085.tif 000022
【図２１】
2005180085.tif 000023
【図２２】
2005180085.tif 000024
【図２３】
2005180085.tif 000025
【図２４】
2005180085.tif 000026
【図２５】
2005180085.tif 000027
【図２６】
2005180085.tif 000028
【図２７】
2005180085.tif 000029
【図２８】
2005180085.tif 000030
【図２９】
2005180085.tif 000031
【図３０】
2005180085.tif 000032